(57)【要約】【課題】カメラ付ドアホン子器で撮影が開始されてからその来客映像がインターホン無線増設親機に表示され始めるまでの遅延時間を短縮することができる無線対応型インターホンシステムを提供する。【解決手段】無線アダプタ３は、少なくとも、カメラ付きドアホン子器１が呼出操作に応じて撮影した映像信号を、インターホン親機２から受信して、無線フォーマット信号に変換する映像信号変換処理を行う第１伝送処理部３１と、変換された無線フォーマット信号を、インターホン無線増設親機４へ無線送出する第２伝送処理部３２と、カメラ付きドアホン子器１の呼出操作に基づく呼出信号をインターホン親器２から受信したときには、第１伝送処理部３１による映像信号変換処理と、第２伝送処理部３２による通話呼出処理とを、並列的に実行する伝送並列処理を行うことを特徴とする。【選択図】図１
2006311226.tif 000002
【特許請求の範囲】
【請求項１】
インターホン親機にカメラ付きドアホン子器を信号線で接続し、更に該インターホン親機に無線アダプタを別の信号線で接続して、上記無線アダプタと無線通信を行うインターホン無線増設親機を付加して構成された、無線対応型インターホンシステムであって、
上記無線アダプタは、少なくとも、
上記インターホン親機を通じて受信した、上記カメラ付きドアホン子器が呼出操作に応じて撮影した映像信号を、無線フォーマット信号に変換する映像信号変換処理を行う第１伝送処理部と、
上記インターホン無線増設親機を呼出し、上記第１伝送部によって変換された無線フォーマット信号を、無線送出する第２伝送処理部と、
上記カメラ付きドアホン子器の呼出操作に基づく呼出信号を上記インターホン親機を通じて受信したときには、上記第１伝送処理部による上記映像信号変換処理と、上記第２伝送処理部による上記無線送出処理とを、並列的に開始する伝送並列処理を行うことを特徴とする無線対応型インターホンシステム。
【請求項２】
請求項１において、
上記インターホン親機は、少なくとも、
上記カメラ付ドアホン子器が撮影した映像信号を圧縮映像信号に変換する映像圧縮手段と、この映像圧縮の圧縮率を制御する圧縮率制御手段とを備えるとともに、圧縮映像信号を上記無線アダプタに送出する構成としており、
上記圧縮率制御手段は、上記映像圧縮の圧縮率を、少なくとも映像信号の第１フレームが、以降のフレームの圧縮率よりも高くなるように制御することを特徴とする無線対応型インターホンシステム。
【請求項３】
請求項２において、
上記インターホン親機は、少なくとも、
カメラ付ドアホン子器が撮影した映像信号を圧縮映像信号に変換する映像圧縮手段と、この映像圧縮の圧縮率を制御する圧縮率制御手段とを備えるとともに、圧縮映像信号を上記無線アダプタに送出する構成としており、
上記圧縮率制御手段は、上記映像圧縮の圧縮率を、映像信号の第１フレームから以降のフレームになるほど段階的に小さくなるように制御することを特徴とする無線対応型インターホンシステム。
【請求項４】
請求項１において、
上記インターホン親機は、上記カメラ付ドアホン子器を定期的に駆動して、撮影した映像信号を上記無線アダプタに転送する定期転送手段を更に備えており、
上記無線アダプタは、上記インターホン親機から定期転送されてきた映像信号を受信する毎に、更新記憶する定期記憶手段を更に備えており、
上記伝送処理制御手段は、
上記カメラ付きドアホン子器の呼出操作に基づく呼出信号を、上記インターホン親機を通じて受信したときには、
上記定期記憶手段に記憶している最新の更新画像を表す映像信号を、カメラ付きドアホン子器が呼出操作に応じて撮影した映像信号よりも先行させて、上記インターホン無線増設親機へ無線送出させることを特徴とする無線対応型インターホンシステム。
【発明の詳細な説明】
【技術分野】
【０００１】
本発明は、カメラ付ドアホン子器とインターホン親機とを信号線で接続し、更に該インターホン親機に無線アダプタを接続して、インターホン無線増設親機を付加して構成された、無線対応型インターホンシステムに関する。
【背景技術】
【０００２】
下記特許文献１は、この種の無線対応型インターホンシステムを開示しており、カメラ付ドアホン子器を２線式信号線で接続したインターホン親機と、このインターホン親機と有線接続された無線アダプタと、この無線アダプタとの間で無線信号の送受をすることにより、インターホン親機との間で信号送受を行うインターホン副親機とで構成されている。
【０００３】
図６は、この種の無線対応型インターホンシステムの動作を示すタイムチャートである。なお、図では、転送、圧縮、フォーマット変換の対象は画像データのみを示しているが、実際には、カメラ付ドアホン子器により集音された音声信号も含まれる。
【０００４】
このシステムでは、カメラ付ドアホン子器の呼出釦が操作されたときには、インターホン親機から駆動電源の給電を受けてカメラを駆動させ来客映像を撮影して、画像データを映像信号の形でインターホン親機に転送する。
【０００５】
転送を受けたインターホン親機では、画像データを圧縮し、無線アダプタに転送する。転送を受けた無線アダプタでは、画像データを無線信号にフォーマット変換をし、画像データを蓄積する信号受信変換処理を行う。
【０００６】
信号受信変換処理において画像データの少なくとも１フレーム分の蓄積が完了すると、無線アダプタは、インターホン無線増設親機（ここでは特許文献１のインターホン副親機の代わりとしてインターホン無線増設親機を用いている）との間で通話呼出処理を行う。すなわち、呼信号を送出し、応答を待つ。そして、応答があれば、インターホン無線増設親機との通信条件が確立され、通話呼出信号を送出し、次の通話呼出処理を行う。
【０００７】
この通話呼出処理では、インターホン無線増設親機の応答があれば、蓄積が完了した画像データをインターホン無線増設親機に送出し、これを受けたインターホン無線増設親機は、送出された画像データを伸長し、モニタに表示する。
図７，８は、この種の無線対応型インターホンシステムにおける無線アダプタ、インターホン無線増設親機のそれぞれの動作を示すフローチャートである。
【０００８】
図７のフローチャートは、無線アダプタの動作を示している。
【０００９】
無線アダプタは、電源が入力されているときに（２００）、インターホン親機から呼出信号を受信すると（２０１）、インターホン親機から映像信号を受信し無線信号にフォーマット変換し蓄積をする信号受信変換処理を行う（２０２）。
【００１０】
少なくとも１フレーム分の蓄積が完了すると（２０３）、インターホン無線増設親機との通話呼出処理を行う（２０５〜２０７）。通話呼出処理の詳細については先述しているので説明を省略するが、それぞれの応答待ちの間に、所定時間経過しても（２０８，２１０）、応答が来ない場合には、インターホン親機に不在を返信する（２０９，２１１）。
【００１１】
一方、通話呼出処理に対する応答があったときには、蓄積しておいた画像データをインターホン無線増設親機に送出する（２１２）。
【００１２】
図８のフローチャートは、インターホン無線増設親機の動作を示している。
【００１３】
インターホン無線増設親機は、無線アダプタとの間で先述の通話呼出処理を行い（３００〜３０３）、無線アダプタから送出された通話呼出信号に基づいて呼出音を出力する（３０４）。
【００１４】
ついで、所定時間の間に無線アダプタからの映像信号を送出されてきたときには、これを受信する（３０６、３０７）。
【特許文献１】特開２０００−２２４３１６号公報
【発明の開示】
【発明が解決しようとする課題】
【００１５】
ところで、このようなシステムでは、インターホン親機から無線アダプタ間への画像データは、信号線で伝送されているため、インターホン親機から直接無線信号を無線増設親機に伝送するシステムと比較すると、伝送速度が一般的に遅くなっており、このことは、信号線の回線容量が小さく、画像データの容量が大きいときに顕著となる。
【００１６】
更に、この種のシステムでは、無線アダプタは、インターホン親機からの画像データの蓄積を行う信号受信変換処理が、少なくとも１フレーム分完了した後に、インターホン無線増設親機と通話呼出処理を行い、応答があれば蓄積した画像データを送出するようにしているので、結果として、カメラ付ドアホン子器で呼出操作され、来客映像が撮影されてから、その来客映像がインターホン無線増設親機に表示され始めるまでの遅延時間もあり、これらによって、無線増設親機では、インターホン親機で来客の呼出を検出し、呼出チャイムを鳴動させてから相当な時間遅れを生じた後に、来客映像が表示されるため、応答側である無線増設親機側では、システム動作に故障を連想させるような不安と、じれったさを与えている。
【００１７】
本発明は、このような問題を解決するために提案され、カメラ付ドアホン子器で撮影が開始されてからその来客映像がインターホン無線増設親機に表示され始めるまでの遅延時間を短縮することができる無線対応型インターホンシステムを提供することを目的とする。
【課題を解決するための手段】
【００１８】
上記目的を達成するため、請求項１では、インターホン親機にカメラ付きドアホン子器を信号線で接続し、更に該インターホン親機に無線アダプタを別の信号線で接続して、インターホン無線増設親機を付加して構成された、無線対応型インターホンシステムであって、上記無線アダプタは、少なくとも、上記インターホン親機を通じて受信した、上記カメラ付きドアホン子器が呼出操作に応じて撮影した映像信号を、無線フォーマット信号に変換する映像信号変換処理を行う第１伝送処理部と、上記インターホン無線増設親機を呼出し、上記第１伝送部によって変換された無線フォーマット信号を、無線送出する第２伝送処理部と、上記カメラ付きドアホン子器の呼出操作に基づく呼出信号を上記インターホン親機を通じて受信したときには、上記第１伝送処理部による上記映像信号変換処理と、上記第２伝送処理部による上記無線送出処理とを、並列的に開始する伝送並列処理を行うことを特徴とする。
【００１９】
請求項２では、上記インターホン親機は、少なくとも、上記カメラ付ドアホン子器が撮影した映像信号を圧縮映像信号に変換する映像圧縮手段と、この映像圧縮の圧縮率を制御する圧縮率制御手段とを備えるとともに、圧縮映像信号を上記無線アダプタに送出する構成としており、上記圧縮率制御手段は、上記映像圧縮の圧縮率を、少なくとも映像信号の第１フレームが、以降のフレームの圧縮率よりも高くなるように制御することを特徴とする。
【００２０】
請求項３では、上記インターホン親機は、少なくとも、カメラ付ドアホン子器が撮影した映像信号を圧縮映像信号に変換する映像圧縮手段と、この映像圧縮の圧縮率を制御する圧縮率制御手段とを備えるとともに、圧縮映像信号を上記無線アダプタに送出する構成としており、上記圧縮率制御手段は、上記映像圧縮の圧縮率を、映像信号の第１フレームから、以降のフレームになるほど段階的に小さくなるように制御することを特徴とする。
【００２１】
請求項４では、上記インターホン親機は、上記カメラ付ドアホン子器を定期的に駆動して、撮影した映像信号を上記無線アダプタに転送する定期転送手段を更に備えており、上記無線アダプタは、上記インターホン親機から定期転送されてきた映像信号を受信する毎に、更新記憶する定期記憶手段を更に備えており、上記伝送処理制御手段は、上記カメラ付きドアホン子器の呼出操作に基づく呼出信号を、上記インターホン親機を通じて受信したときには、上記定期記憶手段に記憶している最新の更新画像を表す映像信号を、カメラ付きドアホン子器が呼出操作に応じて撮影した映像信号よりも先行させて、上記インターホン無線増設親機へ無線送出させることを特徴とする。
【発明の効果】
【００２２】
本発明によれば、以下の効果を奏する。
【００２３】
請求項１によれば、第１伝送処理部による信号受信変換処理と、第２伝送処理部による無線アダプタとの間の通話呼出処理とを並列的に開始しているので、従来システムと比べた場合に、カメラ付ドアホン子器による撮影が開始されてから、その来客映像がインターホン無線増設親機に表示され始めるまでの遅延時間を短縮できる。
【００２４】
請求項２，３によれば、最初の来客映像は、データ量を小さくして、迅速な応答表示ができ、通話を開始した後は、精細な映像を見ながら通話が出来る。
【００２５】
すなわち、請求項２によれば、インターホン親機では、無線アダプタに送出する画像データの少なくとも最初の１フレーム分の圧縮率を、以降のフレーム分の画像データの圧縮率よりも高くするので、インターホン無線増設親機側では、第１フレーム目については迅速な応答表示が可能となる。
【００２６】
また、請求項３によれば、インターホン親機では、無線アダプタに送出する画像データの圧縮率をフレーム毎に段階的に小さくしていくため、最初の１フレーム分の画像データについてはインターホン無線増設親機における表示遅延時間の短縮ができ、通話が開始されると、第２フレーム以降については後のフレームになるほど、徐々に画像データが鮮明に表示されてゆくという利点がある。
【００２７】
請求項４によれば、無線アダプタは、定期記憶手段で定期更新させておいた映像信号を、ドアホン子器の呼出操作によってインターホン親機から受信した映像信号を送出する前に送出するので、無線増設親機で表示すべき第２フレーム目以降の実際の画像を取り込むまでは、定期記憶手段の最新の更新画像を表す映像信号を無線増設親機に送出して表示させることができるので、インターホン親機から無線アダプタへの伝送能力に関係なく、インターホン無線増設親機での画像データの表示遅延時間の短縮が図れる。
【発明を実施するための最良の形態】
【００２８】
以下に、本発明の実施の形態について説明する。なお、ここでは、インターホンとしてテレビインターホンを用いているが、モニタのないインターホンで本発明を構成することもできる。
【実施例１】
【００２９】
図３は、第１の本発明システムの具体的なブロック図である。
カメラ付ドアホン子器１とテレビインターホン親機２とは信号線Ｌ２で接続され、テレビインターホン親機２と無線アダプタ３とは信号線Ｌ１で接続されている。そして、無線アダプタ３と無線通信を行うテレビインターホン無線増設親機４を設けている。
【００３０】
カメラ付ドアホン子器１は、信号処理部１０、スピーカＳＰに出力される音声信号のレベルを増幅するスピーカアンプＡ１、マイクＭＩＣより入力された音声信号のレベルを増幅するマイクアンプＡ２、カメラ１１、呼出釦１２を備えている。
インターホン親機２は、信号処理部２０、スピーカＳＰに出力される音声信号のレベルを増幅するスピーカアンプＡ１、マイクＭＩＣを通じて入力された音声信号のレベルを増幅するマイクアンプＡ２、モニタ２１、操作釦２２を備える。
無線アダプタ３は、アダプタ制御手段３０Ａを有する信号処理部３０、第１伝送処理部３１、アンテナ３２を有する第２伝送処理部３２を備えている。
インターホン無線増設親機４は、信号処理部４０、アンテナＡＮＴを有し、無線アダプタ３との間で、先述した通話呼出処理を行う無線通信部４１、スピーカＳＰに出力される音声信号のレベルを増幅するスピーカアンプＡ１、マイクＭＩＣより入力された音声信号のレベルを増幅するマイクアンプＡ２、モニタ４２、操作釦４３を備えている。
【００３１】
無線アダプタ３の第１伝送処理部３１は、信号受信変換処理を行い、インターホン親機２から受信した、カメラ付ドアホン子器１により撮影された映像信号を無線信号の形にフォーマット変換して蓄積する。
【００３２】
無線アダプタ３の第２伝送処理部３２は、インターホン親機２から受信した呼出信号に基づいて、インターホン無線増設親機４との間で通話呼出処理を行い、応答があれば、第１伝送処理部３１に蓄積した映像信号をアンテナＡＮＴを通じてインターホン無線増設親機４に送出する。
【００３３】
なお、無線アダプタ３では、第１伝送処理部３１と第２伝送処理部３２とは、１チップＣＰＵで構成することもできる。
【００３４】
このような構成の第１の本発明では、先述したような、第１伝送処理部３１による信号受信変換処理と、第２伝送処理部３２による通話呼出処理とを並列的に行う並列伝送処理を行う。  
すなわち、インターホン親機２から少なくとも画像データを映像信号として送出されてきたときには、第１伝送処理部によりこれを受信し、無線信号にフォーマット変換をして順次蓄積する信号受信変換処理を行う。
第２伝送処理部３２は、このような信号受信変換処理に並行して、インターホン親機２から送出されてきた呼出信号に基づいてインターホン無線増設親機４との間で前述した通話呼出処理をする。
【００３５】
つまり、並列伝送処理では、カメラ付ドアホン子器１での呼出操作があると、カメラ付ドアホン子器１で撮影される画像データをインターホン親機２から受信して無線信号に変換して蓄積する信号受信変換処理をしながら、インターホン無線増設親機４と通話呼出処理をして呼び出し、インターホン無線増設親機４と通話呼出処理をし応答があったときには、第１伝送処理部３１に蓄積しておいた画像データをインターホン無線増設親機４に送出する。
【００３６】
インターホン無線増設親機４はこれを受け、受信した画像データを伸長し、モニタ表示する。
【００３７】
このような構成によれば、以下の基本動作をなす。図１は、このような基本動作を示すタイムチャートである。
すなわち、カメラ付ドアホン子器１での呼出があれば、信号線Ｌの電圧値が変動するので、この変動をインターホン親機２が検知し、呼出を受けたことを認識する。
【００３８】
すると、インターホン親機２は呼出動作をするとともに、カメラ付ドアホン子器１の駆動電源を供給してカメラを駆動させ、呼出信号を無線アダプタ３、有線増設親機５に送出する。
無線アダプタ３は、第１伝送処理部３１により、インターホン親機２から受信した、カメラ付ドアホン子器１により撮影された映像信号を無線信号の形にフォーマット変換して蓄積する信号受信変換処理を行う。
ここで、無線信号の形にフォーマット変換する無線フォーマット変換では、映像信号のフレームを分割するブロック化や、ヘッダ付与などを含むフォーマット変換をしている。
これとともに、インターホン親機２から受信した呼出信号に基づいて、第２伝送処理部３２により、インターホン無線増設親機４との間で通話呼出処理を行い、応答があれば、第１伝送処理部３１に蓄積した映像信号をインターホン無線増設親機４に送出する。
インターホン無線増設親機４は、無線アダプタ３との通話呼出処理で応答して呼出音を出力する。これとともに、無線アダプタ３から受信した映像信号に基づいて、来客映像をモニタに表示する。
なお、無線増設親機４との無線通信では、映像信号は片方向、音声信号は両方向で、周波数多重化した無線信号として伝送してもよく、音声を別チャネルとして伝送してもよい。また、音声については、従来の無線伝送方式を採用することもできる。
なお、カメラ付ドアホン子器１、インターホン親機２の動作については、従来の技術の説明で示した図５と同様であるため、説明を省略する。
【００３９】
図２のフローチャートは、無線アダプタ３の基本動作の一例を示している（第１伝送処理部３１、第２伝送処理部３２は１チップＣＰＵで構成）。なお、インターホン無線増設親機４の基本動作は、図８のフローチャートと同様であるので説明を省略する。
【００４０】
無線アダプタ３は、電源が入っている状態で（１００）、インターホン親機２から、カメラ付ドアホン子器１の呼出操作に基づく呼出信号を受信したときには、第２伝送処理部３２により通話呼出処理を開始して、インターホン無線増設親機４に呼信号を送出する（１０３）。これとともに、第１伝送処理部３１により、インターホン親機２から送出される映像信号を受信し、無線信号に変換して蓄積する信号受信変換処理を行う（１０２）。
【００４１】
第２伝送処理部３２において、呼信号に対する応答、通話呼出信号に対する応答（１０４〜１０６）がそれぞれ所定時間内（１０７，１０９）にあれば、第１伝送処理部３１において映像信号の少なくとも１フレーム分の蓄積が完了しているか判断し（１１１）、完了していれば、第１伝送処理部３１に蓄積しておいた映像信号をインターホン無線増設親機４に送出する（１１２）。
なお、呼信号、通話呼出信号のそれぞれに対する応答が所定時間内に得られない場合には、インターホン親機２に不在を返信する（１０８、１１０）。
【実施例２】
【００４２】
図４は、第２の本発明システムの基本構成の他の例を示すブロック図である。
【００４３】
この第２の本発明システムでは、インターホン親機２では、信号処理部２０は、映像圧縮手段２０Ａ、圧縮率制御手段２０Ｂを備えている。その他の構成は、第１の本発明システムと同様であるので、同一符号を付して説明を省略する。
【００４４】
この第２の本発明システムでは、圧縮率制御手段２０Ｂにより映像信号のフレーム毎に圧縮率を変化させることを特徴とする。
【００４５】
映像圧縮手段２０Ａは、圧縮率制御手段２０Ｂによる制御を受け、カメラ付ドアホン子器１により撮影された来客映像を所定の圧縮率で圧縮する。
【００４６】
圧縮された来客映像は、先述したように、信号線Ｌ１を通じて無線アダプタ３に送出される。
【００４７】
圧縮率制御手段２０Ｂは、図示しないカウンタを有しており、無線アダプタ３に送るべき映像信号をフレーム単位で管理して、最初の１フレームだけ所定の圧縮率で圧縮するよう映像圧縮手段２０Ａを制御するが、続く映像信号については、その圧縮率よりも小さな圧縮率で圧縮するよう制御する。
【００４８】
つまり、第２フレーム目以降は、原画像に近くなるよう圧縮率を解除した状態で転送する。
【００４９】
なお、最初の１フレーム目からフレーム毎に段階的に圧縮率を小さくし、所定の圧縮率となるように制御してもよい。
【実施例３】
【００５０】
図５は、第３の本発明システムの基本構成の一例を示すブロック図である。
【００５１】
この第３の本発明システムでは、インターホン親機２では、信号処理部２０は、定期転送手段２０Ｃを備えている。
【００５２】
また、無線アダプタ３では、定期記憶手段３３を備えている。その他の構成については、第１，２の本発明と同様であるので、同一符号を付して説明を省略する。
【００５３】
インターホン親機２の定期転送手段２０Ｃは、所定時間毎に、カメラ付ドアホン子器１に給電して撮影をさせて映像信号を受信し、無線アダプタ３に送出する。無線アダプタ３は、これを第１伝送処理部３１を通じて受信して、定期記憶手段３３に、最新の更新画像を表す映像信号として記憶更新してゆく。なお、映像信号の記憶態様は、静止画、動画いずれを問わない。
【００５４】
伝送処理制御手段３０Ａは、インターホン親機２から受信した音声信号、映像信号を第２伝送処理部３２を通じて無線アダプタ４に送出する前に、定期記憶手段３３の音声信号、映像信号を第２伝送処理部３２に渡し、第２伝送処理部３２を通じて無線アダプタ４に送出する。
【００５５】
すなわち、第２伝送処理部３２によるインターホン無線増設親機４との通話呼出処理をした結果、応答があったときには、まず、定期記憶手段３３の音声信号、映像信号を第２伝送処理部３２に渡してから、第１伝送部３１に蓄積された音声信号、映像信号を第２伝送部３２に渡す。
したがって、第２伝送処理部３２より無線アダプタ４に送出すべき画像データの少なくとも最初の１フレーム目には、バックアップしておいた画像データが挿入されることになる。
【図面の簡単な説明】
【００５６】
【図１】第１の本発明の基本動作の一例を示すタイムチャート
【図２】第１の本発明における無線アダプタの基本動作の一例を示すフローチャート
【図３】第１の本発明の基本構成の一例を示すブロック図
【図４】第２の本発明の基本構成の一例を示すブロック図
【図５】第３の本発明の基本構成の一例を示すブロック図
【図６】従来の無線対応型インターホンシステムの基本動作を示すタイムチャート
【図７】従来システムにおける無線アダプタの基本動作を示すフローチャート
【図８】従来システムにおけるインターホン無線増設親機の基本動作を示すフローチャート
【符号の説明】
【００５７】
１  カメラ付ドアホン子器
２  インターホン親機
３  無線アダプタ
４  インターホン無線増設親機
２０Ａ  映像圧縮手段
２０Ｂ  圧縮率制御手段
２０Ｃ  定期転送手段
３１  第１伝送処理部
３２  第２伝送処理部
３３  定期記憶手段
Ｌ１，Ｌ２  信号線
【図１】
2006311226.tif 000003
【図２】
2006311226.tif 000004
【図３】
2006311226.tif 000005
【図４】
2006311226.tif 000006
【図５】
2006311226.tif 000007
【図６】
2006311226.tif 000008
【図７】
2006311226.tif 000009
【図８】
2006311226.tif 000010